(57)【要約】【課題】各支持面の位置や角度が調整可能であり使用者が座った際になる姿勢を適宜変えることができる椅子の提供。【解決手段】支持フレームユニット２と、支持フレームユニット２に支持されている座面ユニット３とを備えた椅子であって、座面ユニット３は、下から着座者の臀部を支える座面部３１と、座面部３１の後端から上方に延伸するように形成されている腰当て部３２とを有し、座面部３１は、該椅子の幅方向である左右方向を軸として支持フレームユニット２に対して腰当て部３２とともに揺動できるように支持フレームユニット２に回動自在に取り付けられていることを特徴とする椅子。【選択図】図２
0003189417.tif 000002
【実用新案登録請求の範囲】
【請求項１】
支持フレームユニットと、該支持フレームユニットに支持されている座面ユニットとを備えた椅子であって、
前記座面ユニットは、下から着座者の臀部を支える座面部と、該座面部の後端から上方に延伸するように形成されている腰当て部とを有し、
前記座面部は、該椅子の幅方向である左右方向を軸として前記支持フレームユニットに対して前記腰当て部とともに揺動できるように前記支持フレームユニットに回動自在に取り付けられていることを特徴とする椅子。
【請求項２】
前記座面ユニットの前方に位置して着座者の上腿を支えることができるように前記支持フレームユニットに支持されている上腿支持ユニットをさらに備え、
前記上腿支持ユニットは、着座者の左右上腿に対応する位置にそれぞれ設けられた２つの上腿支持部を有し、該２つの上腿支持部は、前記左右方向に沿って前記支持フレームユニットに対して摺動可能にそれぞれ構成されていることを特徴とする請求項１に記載の椅子。
【請求項３】
後ろから着座者の背部を支えるものであって、前記左右方向を軸として前記支持フレームユニットに対して揺動できるように前記支持フレームユニットに回動自在に取り付けられている背もたれユニットをさらに備えたことを特徴とする請求項２に記載の椅子。
【請求項４】
膨らんだり縮んだりすることができるものであって、着座者の背部に当接するように前記背もたれユニットに設けられている背当てユニットをさらに備えたことを特徴とする請求項３に記載の椅子。
【請求項５】
着座者の腕部を支えるように前記背もたれユニットに設けられている肘置きユニットをさらに備え、該肘置きユニットは、前記背もたれユニットに対して上下動可能に構成されていることを特徴とする請求項４に記載の椅子。
【請求項６】
前記肘置きユニットは、
左右両端を有し、かつ、前記背もたれユニットに対して上下動可能となるように前記背もたれユニットに連結されている連結部材と、
着座者の左右腕部をそれぞれ支えるものであって、それぞれ前記連結部材に対して前記左右方向に揺動できるように前記連結部材の前記左右両端近くに回動自在に取り付けられている２つの肘置き部材とを有することを特徴とする請求項５に記載の椅子。
【請求項７】
前記支持フレームユニットは、互いに間隔を置いて設けられている２本の前脚と、互いに間隔を置いて設けられている２本の後脚と、前記左右方向における左右いずれかの同じ側同士の前記前脚と前記後脚を連結している連結板とを有し、
前記座面ユニットは、前記連結板に設けられているとともに前記座面部の前記その揺動を駆動する第１の駆動部材と、該第１の駆動部材に動力を与えるものであって前記連結板に設けられている第１の動力源とを有することを特徴とする請求項６に記載の椅子。
【請求項８】
前記支持フレームユニットは、前記上腿支持ユニットの下方に前記２本の前脚同士を連結するように設けられている上板を有し、
前記上板は、その上面に、前記左右方向に互いに間隔を置いてそれぞれ前記左右方向に沿って円弧状に延伸する２つの摺動溝が形成されており、
前記上腿支持ユニットの前記２つの上腿支持部は、それぞれ支持板と、該支持板に下方に突起するように設けられて前記上板の前記摺動溝に摺動可能に嵌まっている摺動突起とを有することを特徴とする請求項７に記載の椅子。
【請求項９】
前記背もたれユニットは、前記後脚の上端付近に回動自在に取り付けられている第２の駆動部材と、着座者の背部を支えるものであって前記左右方向を軸として前記支持フレームユニットに対して揺動できるように第２の駆動部材に連結されている背もたれ板と、前記第２の駆動部材に動力を与えるものであって前記支持フレームユニットに設けられている第２の動力源とをさらに有することを特徴とする請求項７または８に記載の椅子。
【請求項１０】
前記肘置きユニットは、前記左右方向に互いに間隔を置いて前記背もたれ板に設けられているとともに前記連結部材の前記上下動を駆動する２つの第３の駆動部材と、各前記第３の駆動部材に動力を与える第３の動力源とをさらに有することを特徴とする請求項９に記載の椅子。
【請求項１１】
前記背もたれユニットは、前記背もたれ板の着座者に向かう面から凹んで形成された２つの収容部をさらに有しており、
前記背当てユニットは、膨らんだり縮んだりすることができるものであって各前記収容部に収容されている空気嚢と、前記背もたれ板に設けられているとともに各前記空気嚢を膨らんだり縮んだりさせることができるように配置構成されているポンプユニットとを有することを特徴とする請求項９または１０に記載の椅子。
【請求項１２】
前記腰当て部は、正面視で略逆台形状に形成されていることを特徴とする請求項１〜１１のいずれか一項に記載の椅子。
【考案の詳細な説明】
【技術分野】
【０００１】
本考案は、椅子に関し、特に座面の角度を調整することができる椅子に関するものである。
【背景技術】
【０００２】
椅子の背もたれは、座面に対する角度を調整するようにリクライニングできるものが多い。しかし、そのような背もたれは大抵が直線的に延伸した板状に形成されているが、人の背中は多少なりとも湾曲しているので、人の背中の形状に合致せず、しっかりと背部を支持できないと言った問題がある。
【０００３】
そこで、背もたれを、位置や角度の調整の自由度がより高まるように構成して背部への支持をより安定させた椅子が、例えば特許文献１に提示されている。図１には当該特許文献に係る椅子１が示されており、椅子１は、座面部１３から背面側に水平方向に突き出てから垂直方向上方に折れ曲がるように略Ｌ字状に形成されている支持材１１と、使用者の背部を支持できるように支持材１１に設けられた背もたれ部１２とを備えている。背もたれ部１２は、支持材１１と直交するようにほぼ左右方向に延伸しておりその中間部が支持材１１に固定されているとともにその左右両端側が前方に反る弓状に形成されている弓状棒材１２１と、弓状棒材１２１の左右両端付近にそれぞれ設けられている背もたれ１２３、１２３とからなっている。
【０００４】
このような構成において、弓状棒材１２１が垂直方向に支持材１１に対して摺動可能に、また、各背もたれ１２３が水平方向に弓状棒材１２１に対して摺動可能にそれぞれなっているうえ、各背もたれ１２３が弓状棒材１２１に対して回動可能になっているので、各背もたれ１２３の使用者の背部に対する位置および角度を調整することで、使用者の背部および腰部に対する支持を強化することができる。
【先行技術文献】
【特許文献】
【０００５】
【特許文献１】台湾登録実用新案第Ｍ２９４２６２号公報
【考案の概要】
【考案が解決しようとする課題】
【０００６】
しかしながら、上記従来の椅子では、長時間座り続けていると、その間同じ姿勢を取り続けていることになり、例えば背部や腰部の筋肉が凝って痛みの原因となる。
【０００７】
本考案は、上記従来技術の問題点に鑑みてなされたものであり、その目的は、臀部や腰部を始めとした人体に対する椅子の各支持面を可動式とすることで、各支持面の位置や角度を調整し、使用者が座った際になる姿勢を適宜変えることができ、かつ、それにより使用者が座りながらにして体を動かすことができる椅子の提供にある。
【課題を解決するための手段】
【０００８】
上記目的を達成するための手段として、本考案は、以下の手段を提供する。
すなわち、支持フレームユニットと、該支持フレームユニットに支持されている座面ユニットとを備えた椅子であって、前記座面ユニットは、下から着座者の臀部を支える座面部と、該座面部の後端から上方に延伸するように形成されている腰当て部とを有し、前記座面部は、該椅子の幅方向である左右方向を軸として前記支持フレームユニットに対して前記腰当て部とともに揺動できるように前記支持フレームユニットに回動自在に取り付けられていることを特徴とする椅子を提供する。
【０００９】
上記の椅子は、前記座面ユニットの前方に位置して着座者の上腿を支えることができるように前記支持フレームユニットに支持されている上腿支持ユニットをさらに備え、前記上腿支持ユニットが、着座者の左右上腿に対応する位置にそれぞれ設けられた２つの上腿支持部を有し、該２つの上腿支持部が、前記左右方向に沿って前記支持フレームユニットに対して摺動可能にそれぞれ構成されていることが好ましい。
【００１０】
また、後ろから着座者の背部を支えるものであって、前記左右方向を軸として前記支持フレームユニットに対して揺動できるように前記支持フレームユニットに回動自在に取り付けられている背もたれユニットをさらに備えることが好ましい。
【００１１】
また、膨らんだり縮んだりすることができるものであって、着座者の背部に当接するように前記背もたれユニットに設けられている背当てユニットをさらに備えることが好ましい。
【００１２】
さらに、着座者の腕部を支えるように前記背もたれユニットに設けられている肘置きユニットを備え、該肘置きユニットが、前記背もたれユニットに対して上下動可能に構成されていることが好ましい。
【００１３】
さらに、上記椅子においては、前記肘置きユニットが、左右両端を有しかつ前記背もたれユニットに対して上下動可能となるように前記背もたれユニットに連結されている連結部材と、着座者の左右腕部をそれぞれ支えるものであってそれぞれ前記連結部材に対して前記左右方向に揺動できるように前記連結部材の前記左右両端近くに回動自在に取り付けられている２つの肘置き部材とを有することが好ましい。
【００１４】
また、前記支持フレームユニットは、互いに間隔を置いて設けられている２本の前脚と、互いに間隔を置いて設けられている２本の後脚と、前記左右方向における左右いずれかの同じ側同士の前記前脚と前記後脚を連結している連結板とを有し、前記座面ユニットは、前記連結板に設けられているとともに前記座面部の前記その揺動を駆動する第１の駆動部材と、該第１の駆動部材に動力を与えるものであって前記連結板に設けられている第１の動力源とを有することが好ましい。
【００１５】
さらに、前記支持フレームユニットは、前記上腿支持ユニットの下方に前記２本の前脚同士を連結するように設けられている上板を有し、前記上板は、その上面に、前記左右方向に互いに間隔を置いてそれぞれ前記左右方向に沿って円弧状に延伸する２つの摺動溝が形成されており、前記上腿支持ユニットの前記２つの上腿支持部は、それぞれ支持板と、該支持板に下方に突起するように設けられて前記上板の前記摺動溝に摺動可能に嵌まっている摺動突起とを有することが好ましい。
【００１６】
また、前記背もたれユニットは、前記後脚の上端付近に回動自在に取り付けられている第２の駆動部材と、着座者の背部を支えるものであって前記左右方向を軸として前記支持フレームユニットに対して揺動できるように第２の駆動部材に連結されている背もたれ板と、前記第２の駆動部材に動力を与えるものであって前記支持フレームユニットに設けられている第２の動力源とをさらに有するとよい。
【００１７】
さらにまた、前記肘置きユニットは、前記左右方向に互いに間隔を置いて前記背もたれ板に設けられているとともに前記連結部材の前記上下動を駆動する２つの第３の駆動部材と、各前記第３の駆動部材に動力を与える第３の動力源とをさらに有するとよい。
【００１８】
また、前記背もたれユニットは、前記背もたれ板の着座者に向かう面から凹んで形成された２つの収容部をさらに有しており、前記背当てユニットは、膨らんだり縮んだりすることができるものであって各前記収容部に収容されている空気嚢と、前記背もたれ板に設けられているとともに各前記空気嚢を膨らんだり縮んだりさせることができるように配置構成されているポンプユニットとを有することが好ましい。
【００１９】
なお、前記腰当て部は、正面視で略逆台形状に形成されているとよい。
【考案の効果】
【００２０】
上記手段によれば、座面ユニットの座面部および腰当て部とが揺動可能に構成されており、該揺動により着座者の臀部および腰部に対する座面部および腰当て部の着座者に対する位置や角度を変えることができるので、着座者が座りながらにして体を動かすことができ、かつ、着座者が座った際になる姿勢を適宜変えることが可能な椅子を提供することができる。
【図面の簡単な説明】
【００２１】
【図１】背もたれの位置や角度が調整できる従来の椅子を示す斜視図である。
【図２】本考案に係る椅子の一実施形態を示す斜視図である。
【図３】図２に示された椅子を横から示すとともに一部を透視した側視図である。
【図４】本考案に係る椅子の一実施形態において座面ユニットが前傾した状態を示す側視図である。
【図５】本考案に係る椅子の一実施形態において座面ユニットが後傾した状態を示す側視図である。
【図６】図２に示された椅子を上から示すとともに一部を透視した上視図である。
【図７】図６において上腿支持ユニットおよび肘置きユニットが展開された状態を示す図である。
【図８】本考案に係る椅子の一使用状態を示す側視図である。
【図９】本考案に係る椅子の他の一使用状態を示す側視図である。
【考案を実施するための形態】
【００２２】
以下、添付図面を参照しながら、本考案の具体的な実施形態を詳細に説明する。
図２および図３は、本考案に係る椅子の一実施形態を示しており、その内、図２は該実施形態の全体を示す斜視図、図３は着座者９による一使用状態を示す側視図である。
【００２３】
本実施形態に係る椅子は、接地側となる支持フレームユニット２と、支持フレームユニット２に支持されており主に着座者９の臀部を下から支える座面ユニット３と、座面ユニット３の前方に位置して着座者９の上腿を支えることができるように支持フレームユニット２に支持されている上腿支持ユニット４と、支持フレームユニット２に回動自在に取り付けられており着座者９の背部を後ろから支える背もたれユニット５と、着座者９の背部に当接するように背もたれユニット５の着座者９に向かう側に設けられている背当てユニット６と、着座者９の腕部を支えるように背もたれユニット５に設けられている肘置きユニット７とを備えている。以下、各ユニットについて詳しく説明する。
【００２４】
（支持フレームユニット２）
支持フレームユニット２は、それぞれ椅子を支えるための、互いに間隔を置いて設けられている２本の前脚２１、２１と、互いに感覚を置いて設けられている２本の後脚２２、２２と、左右方向（すなわち椅子の幅方向、以下同じ）における左右いずれかの同じ側同士（図示においては左側同士）の１本の前脚２１と１本の後脚２２のそれぞれ上端付近を連結している連結板２３と、上腿支持ユニット４の下方に位置して２本の前脚２１、２１同士を連結している上板２４とを有する。上板２４は、図６および図７に示されているように、その上面に、左右方向に互いに間隔を置いて２つの摺動溝２４１、２４１を有し、これら摺動溝２４１、２４１は、それぞれ左右方向に概ね沿って円弧状に延伸するように形成されている。
【００２５】
（座面ユニット３）
座面ユニット３は、着座者９の臀部を下から支えることができるように水平に延伸する板状に形成された座面部３１と、着座者９の腰部に後ろから当接できるように座面部３１の後端から上方に延伸するように形成された腰当て部３２とを有する。座面部３１は、その後端付近で支持フレームユニット２の２本の後脚２２、２２の間に軸支されるように回動自在に取り付けられており、左右方向を軸として支持フレームユニット２に対して腰当て部３２とともに揺動可能となっている。また、座面ユニット３は、支持フレームユニット２の連結板２３に設けられており、かつ、座面部３１の上記揺動を駆動することができるように構成された第１の駆動部材３４と、連結板２３に設けられており、かつ、第１の駆動部材３４に上記揺動を駆動するための動力を与える第１の動力源３３とをさらに有する。
【００２６】
本実施形態において、第１の駆動部材３４は、図３に示されているように、円周の一箇所に突端を有するカムとして形成されており、第１の動力源３３により該カムの回転位置を調整して該突端が座面部３１を下から突き上げるようにして、座面部３１を、図４に示された前傾位置、図５に示された後傾位置、そしてその間の位置である図３に示された水平位置との間で揺動させることができる。ただ、第１の駆動部材３４としては座面部３１の揺動を駆動できるものであればよく、上記のようなカム構成に限らず、例えば空気圧または油圧ピストンを用いることもできる。座面ユニット３の座面部３１および腰当て部３２とが上記のように揺動可能に構成されているので、該揺動により着座者９の臀部および腰部に対する座面部３１および腰当て部３２の当接具合、具体的には当接角度や当接強度を調整することができる。また、本実施形態においては、図２に示されているように腰当て部３２が正面視で略逆台形状に形成されている。
【００２７】
（上腿支持ユニット４）
図６は図２および図３に示された椅子を上から示すとともに一部を透視した上視図である。上腿支持ユニット４は、図３および図６に示されているように、着座者９の左右上腿を下から支えることができるようにその左右上腿に対応する位置にそれぞれ設けられた２つの上腿支持部４１、４１を有する。２つの上腿支持部４１、４１は、それぞれ、支持板４１１と、支持板４１１の下面から突起するように設けられた摺動突起４１２とを有する。摺動突起４１２は、支持フレームユニット２の上板２４の２つの摺動溝２４１、２４１のうちの対応する１つに摺動可能に嵌め入れられている。
【００２８】
この構成により、各上腿支持部４１は、左右方向に概ね沿って支持フレームユニット２に対して、図６に示された閉じ位置（２つの上腿支持部４１、４１が近接した位置）と、図７に示された開き位置（２つの上腿支持部４１、４１が離間した位置）との間で摺動可能となっている。上腿支持ユニット４の２つの上腿支持部４１、４１がそれぞれ上記のように摺動可能に構成されているので、着座者９は、着座して上腿部が支持された状態のままで、上腿部を左右方向に動かすことができる。
【００２９】
（背もたれユニット５）
背もたれユニット５は、図２および図３に示されているように、支持フレームユニット２の後脚２２の上端付近に回動可能に設けられている第２の駆動部材５１と、着座者９の背部を後ろから支えることができるよう座面ユニット３の腰当て部３２上方に位置するように第２の駆動部材５１に連結されている背もたれ板５２とを有する。第２の駆動部材５１は後脚２２に対して回転動することで、背もたれ板５２を左右方向を軸として支持フレームユニット２に対して揺動するように駆動することができる。また、支持フレームユニット２には、第２の駆動部材５１に背もたれ板５２を上述のように駆動するための動力を与える第２の動力源５３が設けられている。また、背もたれユニット５は、それぞれ背もたれ板５２の着座者９に向かう面から凹んで形成された２つの収容部５２１を有しており、２つの収容部５２１は左右に互いに間隔を置いて設けられている。背もたれユニット５の背もたれ板５２が上記のように揺動可能に構成されているので、着座者９は例えば図９に示されているように頭部を後ろに下げるように後傾姿勢を取って背筋を伸ばすことができる。
【００３０】
（肘置きユニット７）
図７は、本実施形態において椅子の上腿支持ユニット４および肘置きユニット７が展開された状態を示す図である。肘置きユニット７は、図３および図７に示されているように、着座者９の左右腕部をそれぞれ支える２つの肘置き部材７２、７２と、各肘置き部材７２を背もたれユニット５に連結している連結部材７１と、左右方向に互いに間隔を置いて背もたれ板５２に設けられている第３の駆動部材７３を有する。連結部材７１は、左右方向に棒状に延伸しており、背もたれユニット５に対して上下動可能となるように第３の駆動部材７３に連結されている。各肘置き部材７２は、前後方向に長く棒状に延伸しており、それぞれ連結部材７１に対して左右方向に揺動できるように連結部材７１の左右両端近くに回動可能に取り付けられている。また、背もたれ板５２には、第３の駆動部材７３に連結部材７１を上下動させるための動力を与える第３の動力源７４が設けられている。肘置きユニット７の各肘置き部材７２が上記のように背もたれユニット５に対して上下動可能に構成されているので、着座者の必要に応じて肘置き部材７２の座面に対する高さを調整することができる。また、各肘置き部材７２が上記のように連結部材７１に対して揺動可能に構成されているので、着座者９は、着座して腕部が各肘置き部材７２に支持された状態のままで、腕部を動かすことができる。なお、第３の駆動部材７３としては例えば空気圧または油圧ピストンを用いることができる。
【００３１】
（背当てユニット６）
背当てユニット６は、図２および図３に示されているように、膨らんだり縮んだりすることができるものであって背もたれ板５２の各収容部５２１にそれぞれ収容されている２つの空気嚢６１、６１と、背もたれ板５２に設けられているとともに、各空気嚢６１に空気を送ったり吸い出したりして各空気嚢６１を膨らんだり縮んだりさせることができるように動力源（図示せず）を備えて配置構成されているポンプユニット６２とを有する。
【００３２】
以下に上記のように構成された本考案に係る椅子の効果を具体的に説明する。図３に示されているように、本考案に係る椅子は通常の椅子として着座者９の着座に供することができる上に、第３の駆動部材７３を制御して連結部材７１を上下動させることで、左右の各肘置き部材７２を適度な高さに調整することができる。また、第１の動力源３３を稼動させて第１の駆動部材３４を回転させることで、座面ユニット３の座面部３１および腰当て部３２とを図８に示されているような前傾状態にすれば、例えば着座者９の腰部が押されて多少前屈みの姿勢となる。この際に、さらに背もたれユニット５の第２の動力源５３を稼動させて第２の駆動部材５１により背もたれ板５２を前傾するように揺動させるとともに、背当てユニット６の各空気嚢６１を膨らませると、着座者９の背中の中心付近が空気嚢６１に後ろから押されることで着座者９に背筋を伸ばして胸を張った姿勢を取らせることができる上に、着座者９の腹部、腰周りの筋肉を伸ばすことができる（図８参照）。
【００３３】
上述のように背筋を伸ばして胸を張った姿勢になった場合、着座者９の両腕と両脚は自然と開いた状態となるが、上腿支持ユニット４の各上腿支持部４１、および、肘置きユニット７の各肘置き部材７２が、図７に示されているようにそれぞれ展開位置に摺動または回動（揺動）できるので、着座者９は両腕および両脚を支持されたままで両腕および両脚の姿勢を上述のように変えることができる。さらに、座面ユニット３の腰当て部３２を上述のように略逆台形状としたのは、人体の骨盤の形状に対応させるためであり、これにより腰当て部３２が着座者９の腰部にしっかりと当接することができる。また、図８に示した状態から、第１の駆動部材３４を回転させることで座面ユニット３の座面部３１および腰当て部３２とを図３に示されている水平状態に戻し、かつ、第２の駆動部材５１により背もたれ板５２を水平状態に戻し、背当てユニット６の各空気嚢６１を収縮させると、再び図３に示した状態に戻すことができる。
【００３４】
図９には、本考案に係る椅子の他の一使用状態が側視図で示されている。この状態においては、座面部３１は水平を保ったままで背もたれ板５２のみが後方に傾いている。背もたれ板５２はこのように単独で第二の動力源５３および第２の駆動部材５１に駆動されて支持フレームユニット２側を軸に前後に揺動できるので、着座者９の背部を押すことで着座者９の上体を前後に動かすことができる。これにより、着座者９は、座りながらにして上体の姿勢を変えられるだけでなく、腹部や背部の筋肉を動かして筋力トレーニングをすることも可能である。例えば、図９のように着座者９の上体を後ろに傾けるように背もたれ板５２を揺動させれば、着座者９の腹筋および大腿筋（例えば大腿四頭筋）を伸ばすことができる。また、背もたれ板５２が後傾した状態で、図９のように背当てユニット６の各空気嚢６１を膨らませれば、着用者９の背部を押して胸を張る姿勢を取らせることができる。また、この際に座面部３１と腰当て部３２とを背もたれ板５２とともに後傾させることもできる。
【００３５】
なお、左右２つの上腿支持部４１、４１の各支持板４１１と、肘置きユニット７の左右２つの肘置き部材７２、７２とは、動力を備えて自ら揺動あるいは摺動するものではなく、着座者９の腕や脚に力を掛けられることによって移動するものである。そこで、本考案に係る椅子を用いれば、着座者９は、座った状態でかつ両腕および両腿が支持された状態のままで、両腕および両脚を、肘置き部材７２、７２の揺動範囲ならびに各支持板４１１の摺動範囲内で動かすことができ、腕部や脚部の筋力トレーニングを行うことが可能になる。
【００３６】
さらに、座面部３１と腰当て部３２の揺動を駆動する第１の動力源３３、背もたれ板５２の揺動を駆動する第２の動力源５３、肘置き部材７２の上下動を駆動する第３の動力源７４ならびに空気嚢６１の膨縮を駆動するポンプユニット６２は、それぞれ一つのコントローラ（図示せず）により統合して制御されることで、それぞれ個別に起動されたり、あるいは所定の動作プログラムに従ってそれぞれ起動されるようにしてもよい。このような制御方法は本技術領域においては周知のものなので、ここでは詳説を省く。
【００３７】
以上、総括すると、本考案に係る椅子は、座面ユニット３の座面部３１および腰当て部３２、上腿支持ユニットの各支持板４１１、背もたれユニット５の背もたれ板５２、背当てユニット６の空気嚢６１、肘置きユニットの各肘置き部材７２が上述のように可動に構成されているので、着座者９は座りながらにして、背部や脚部、腕部など体の各部を動かすことができる。これにより、着座者が座った際になる姿勢を適宜変えることができ、かつこれにより着座者は座りながらにして体を動かしてストレッチや筋力トレーニングなどを行うことも可能となる。
【００３８】
以上、本考案の好ましい実施形態を説明したが、本考案はこれに限定されるものではなく、その要旨を逸脱しない範囲で種々変更可能であることはいうまでもない。
【産業上の利用可能性】
【００３９】
本考案に係る椅子によれば、着座者は座りながらにして上体、両腕、両腿などを動かすことができ、つまりは座りながら体に負担を掛けずに筋力トレーニングやストレッチを行うことができるので、例えばリハビリ用の椅子として利用することも可能である。
【符号の説明】
【００４０】
２  支持フレームユニット
２１  前脚
２２  後脚
２３  連結板
２４  上板
２４１  摺動溝
３  座面ユニット
３１  座面部
３２  腰当て部
３３  第１の動力源
３４  第１の駆動部材
４  上腿支持ユニット
４１  上腿支持部
４１１  支持板
４１２  摺動突起
５  背もたれユニット
５１  第２の駆動部材
５２  背もたれ板
５２１  収容部
５３  第２の動力源
６  背当てユニット
６１  空気嚢
６２  ポンプユニット
７  肘置きユニット
７１  連結部材
７２  肘置き部材
７３  第３の駆動部材
７４  第３の動力源
９  着座者
【図１】
0003189417.tif 000003
【図２】
0003189417.tif 000004
【図３】
0003189417.tif 000005
【図４】
0003189417.tif 000006
【図５】
0003189417.tif 000007
【図６】
0003189417.tif 000008
【図７】
0003189417.tif 000009
【図８】
0003189417.tif 000010
【図９】
0003189417.tif 000011